(57)【要約】  超広帯域ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）の通信は、マルチ無線帯域伝送の第１の表示子を送信するように構成される送信機、およびマルチ無線帯域伝送の第２の表示子を受信するように構成される受信機を含む。
2010512113.tif 000002
【特許請求の範囲】
【請求項１】
ＥＢＴ（Ｅｘｐａｎｄｅｄ  Ｂａｎｄｗｉｄｔｈ  Ｔｒａｎｓｍｉｓｓｉｏｎ：拡張帯域幅伝送）の能力のあるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、
マルチ無線帯域伝送の第１の表示子を送信するように構成される送信機と、
マルチ無線帯域伝送の第２の表示子を受信するように構成される受信機と
を具備することを特徴とするＷＴＲＵ。
【請求項２】
マルチ無線帯域伝送の第１および第２の表示子が、それぞれがＩＥ（Ｉｎｆｏｒｍａｔｉｏｎ  Ｅｌｅｍｅｎｔ：情報要素）であることを特徴とする請求項３に記載のＷＴＲＵ。
【請求項３】
前記ＩＥが、予約種別フィールドを具備することを特徴とする請求項２に記載のＷＴＲＵ。
【請求項４】
前記予約種別フィールドが、マルチ無線帯域伝送の表示を具備することを特徴とする請求項３に記載のＷＴＲＵ。
【請求項５】
前記マルチ無線帯域伝送の第１および第２の表示子が、チャンネル識別子を具備することを特徴とする請求項１に記載のＷＴＲＵ。
【請求項６】
前記ＩＥが、チャンネル識別子を具備することを特徴とする請求項２に記載のＷＴＲＵ。
【請求項７】
前記チャンネル識別子が、ＤＲＰ割り付けフィールドに関連付けられることを特徴とする請求項６に記載のＷＴＲＵ。
【請求項８】
ＤＲＰ割り付けフィールドが、前記チャンネル識別子を具備することを特徴とする請求項６に記載のＷＴＲＵ。
【請求項９】
１つより多い無線をさらに具備することを特徴とする請求項１に記載のＷＴＲＵ。
【請求項１０】
前記ＷＴＲＵが、複数の通信無線帯域の位置に基づき、１つの無線または１つより多い無線の何れかにより動作するように構成されることを特徴とする請求項９に記載のＷＴＲＵ。
【請求項１１】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が、複数の通信無線帯域上でマルチ無線帯域伝送の第１の表示子を送信するステップと、
前記ＷＴＲＵが、マルチ無線帯域伝送の第２の表示子を受信するステップと
を具備することを特徴とする超広帯域伝送の方法。
【請求項１２】
前記ＷＴＲＵが、前記第１の表示子を具備する第１のＩＥ（Ｉｎｆｏｒｍａｔｉｏｎ  Ｅｌｅｍｅｎｔ：情報要素）を送信するステップと、
前記ＷＴＲＵが、前記第２の表示子を具備する第２のＩＥを受信するステップと
を具備することを特徴とする請求項１１に記載の方法。
【請求項１３】
前記第１および第２のＩＥが、予約種別フィールドを具備することを特徴とする請求項１２に記載の方法。
【請求項１４】
前記予約種別フィールドが、マルチ無線帯域伝送の表示を具備することを特徴とする請求項１３に記載の方法。
【請求項１５】
マルチ無線帯域伝送の前記第１および第２の表示子が、チャンネル識別子を具備することを特徴とする請求項１１に記載の方法。
【請求項１６】
前記第１および第２のＩＥが、チャンネル識別子を具備することを特徴とする請求項１２に記載の方法。
【請求項１７】
前記チャンネル識別子が、ＤＲＰ割り付けフィールドに関連付けられることを特徴とする請求項１６に記載の方法。
【請求項１８】
ＤＲＰ割り付けフィールドが、前記チャンネル識別子を具備することを特徴とする請求項１６に記載の方法。
【請求項１９】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が、複数の通信無線帯域上で媒体予約を送信するステップであって、前記媒体予約がマルチ無線帯域動作の表示を具備することと、
前記ＷＴＲＵが、複数の通信無線帯域上で通信するステップと
を具備することを特徴とする拡張帯域幅伝送の方法。
【請求項２０】
前記ＷＴＲＵが、前記媒体予約を送信するために１つより多い無線を使用するステップをさらに具備することを特徴とする請求項１９に記載の方法。
【請求項２１】
前記媒体予約が、マルチ無線帯域伝送を表す予約種別データ・フィールドを具備することを特徴とする請求項２０に記載の方法。
【請求項２２】
前記媒体予約が、複数のチャンネル識別子を具備することを特徴とする請求項１９に記載の方法。
【請求項２３】
前記チャンネル識別子が、複数の分散予約プロトコル割り付けに関連付けられることを特徴とする請求項２２に記載の方法。
【発明の詳細な説明】
【技術分野】
【０００１】
ＵＷＢ（Ｕｌｔｒａ  ＷｉｄｅＢａｎｄ：超広帯域）およびＥＢＴ（Ｅｘｐａｎｄｅｄ  Ｂａｎｄｗｉｄｔｈ  Ｔｒａｎｓｍｉｓｓｉｏｎ：拡張帯域幅伝送）通信システムにおいて、より高いデータ速度を可能にするための方法および装置が開示される。
【背景技術】
【０００２】
ＥＣＭＡ３６８／３６９は、高速（ｈｉｇｈ  ｒａｔｅ）ＵＷＢ（Ｕｌｔｒａ  Ｗｉｄｅｂａｎｄ：超広帯域）無線通信システムのＰＨＹ（ＰＨＹｓｉｃａｌ：物理）層およびＭＡＣ（Ｍｅｄｉｕｍ  Ａｃｃｅｓｓ  Ｃｏｎｔｒｏｌ）層のための標準仕様である。ＥＣＭＡ３６８／３６９は、次世代のブルートゥース（Ｂｌｕｅｔｏｏｔｈ（登録商標））、ＷＵＳＢ（Ｗｉｒｅｌｅｓｓ  Ｕｎｉｖｅｒｓａｌ  Ｓｅｒｉａｌ  Ｂｕｓ：無線ＵＳＢ（ユニバーサル・シリアル・バス））、および無線Ｆｉｒｅｗｉｒｅ（ＩＥＥＥ１３９４）などの技術のための共通的プラットホームとして支持を受けている。この仕様は、４８０Ｍｂｐｓまでのデータ速度にて動作するＭＡＣ層およびＰＨＹ層を支援する。ＰＨＹ層は、３．１〜１０．６ＧＨｚの周波数スペクトルにて動作するように設計される。
【０００３】
ＥＣＭＡ３６８ＰＨＹ層は、ＭＢ−ＯＦＤＭ（Ｍｕｌｔｉ−Ｂａｎｄ  Ｏｒｔｈｏｇｏｎａｌ  Ｆｒｅｑｕｅｎｃｙ  Ｄｉｖｉｓｉｏｎ  Ｍｕｌｔｉｐｌｅｘ：マルチ帯域直交周波数分割多重）を使用して情報を送信する。動作周波数スペクトルは、５つの無線帯域グループに分割される。無線帯域グループの中の各無線帯域は、５２８ＭＨｚの帯域幅を有する。最初の４つの無線帯域グループは、それぞれ５２８ＭＨｚの帯域幅を持つ３つの無線帯域を有し、そして第５の無線帯域は５２８ＭＨｚの帯域幅を持つ２つの無線帯域を有し、それぞれ５２８ＭＨｚの帯域幅を持つ合計１４の無線帯域となる。この仕様は、少なくとも第１の無線帯域グループにおいて動作するための、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）などの、デバイスを必要とする。他の無線帯域グループにおいて動作することは随意的である。
【０００４】
ＥＣＭＡ３８６ＭＡＣ層は、完全に分散された構造を有し、そして上位層のプロトコルまたはアダプテーション（ａｄａｐｔａｔｉｏｎ）層に対してＭＡＣサービスを提供する。中枢的な調整（ｃｏｏｒｄｉｎａｔｅ）装置は存在せず、そしてネットワークにおける各ＷＴＲＵがすべてのＭＡＣ機能を支援する。無線領域中の各ＷＴＲＵは、周期的なビーコン・フレームを使用して他のＷＴＲＵと調整する。ビーコン・フレームは、ネットワーク・タイミング、スケジューリング、および能力情報、ならびに他の情報および機能を提供する。
【０００５】
ビーコン・フレームが情報を提供する１つの方法には、ビーコン・フレームまたはコマンド・フレーム中に含まれるＩＥ（Ｉｎｆｏｒｍａｔｉｏｎ  Ｅｌｅｍｅｎｔ：情報要素）を介する方法がある。このＩＥには、ＢＰ（Ｂｅａｃｏｎ  Ｐｅｒｉｏｄ：ビーコン期間）スイッチＩＥおよび／またはＤＲＰ（Ｄｉｓｔｒｉｂｕｔｅｄ  Ｒｅｓｅｒｖａｔｉｏｎ  Ｐｒｏｔｏｃｏｌ：分散予約プロトコル）ＩＥを含むことができる。ＢＰスイッチＩＥには特に、要素ＩＤフィールド、長さフィールド、ＢＰムーブ（ｍｏｖｅ）カウントダウン・フィールド、ビーコン・スロット・オフセット・フィールド、およびＢＰＳＴ（ＢＰ  ＳＴａｒｔ）オフセット・フィールドを含むことができる。
【０００６】
さらにＥＣＭＡ３６８からのＭＡＣスーパーフレーム構造には、ＢＰ（Ｂｅａｃｏｎ  Ｐｅｒｉｏｄ：ビーコン期間）およびＭＡＳ（Ｍｅｄｉｕｍ  Ａｃｃｅｓｓ  Ｓｌｏｔ：媒体アクセス・スロット）が含まれ。
【０００７】
図１は、従来技術によるＤＲＰ  ＩＥ１００の典型的なフォーマットを示す。ＤＲＰ  ＩＥｌ００には、要素ＩＤフィールド１０２、長さフィールド１０４、ＤＲＰ制御フィールド１０６、ターゲット／オーナーＤｅｖＡｄｄｒフィールド１０８、および一連のＤＲＰ割り付けフィールド１１０を含むことができる。
【０００８】
ＥＣＭＡ３６８／３６９は、４８０Ｍｂｐｓまでのデータ速度を支援する。フォーマットによっては１Ｇｂｐｓまたはより大きなデータ速度を必要とするＨＤＴＶ（Ｈｉｇｈ  Ｄｅｆｉｎｉｔｉｏｎ  ＴＶ：高品位テレビ）などの応用を支援するためには、これらの速度では不適切である。したがって、高いデータ速度（１Ｇｂｐｓおよびそれ以上）を支援するＰＨＹおよびＭＡＣ層の両方を持つＵＷＢシステムを有することが望まれるであろう。
【発明の概要】
【０００９】
ＵＷＢ／ＥＢＴ分散通信システムにおいてデータ速度を増加させるための方法および装置が開示される。複数の通信無線帯域を使用すること、および情報要素中にマルチ無線帯域伝送を表すことによって、帯域幅を増大することができる。
【図面の簡単な説明】
【００１０】
例として与えられ、そして添付された図面に関連して理解されるべき以下の記述から、より詳細な理解を得ることができる。
【図１】従来技術によるＤＲＰ  ＩＥを示す図である。
【図２】一実施形態による分散された無線通信ネットワークを示す図である。
【図３】一実施形態によるＤＲＰ割り付けフィールドを示す図である。
【図４】一実施形態によるチャンネルＩＤフィールド中の組み込みチャンネル情報を示す図である。
【発明を実施するための形態】
【００１１】
これ以後参照されると、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」およびＤＥＶ（ＤＥＶｉｃｅ：デバイス）は、限定的ではなく、ＵＥ（Ｕｓｅｒ  Ｅｑｕｉｐｍｅｎｔ：ユーザー設備）、移動端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。これ以後参照されると、用語「基地局（ｂａｓｅ  ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００１２】
無線通信システムには、互いに無線にて通信する能力のある、複数のＷＴＲＵ、ＵＥ（Ｕｓｅｒ  Ｅｑｕｉｐｍｅｎｔ：ユーザー設備）、またはＤＥＶなどの、複数の無線通信デバイスを含むことができる。無線通信システムは、ＡＰ、ノードＢ、ＷＴＲＵ、ＤＥＶ、および同様のものの何れの組み合わせをも具備することができる。例えば無線通信システムには、アドホック・モードにて動作するＷＴＲＵ、無線ブリッジとしての役割を果たすノード、またはそれらの任意の組み合わせをも含むことができる。
【００１３】
図２は、一実施形態による分散された無線通信ネットワーク２００を示す。ＷＴＲＵ１  ２１０、ＷＴＲＵ２  ２１２、およびＷＴＲＵ３  ２１４は、中枢的ハブの使用なしで直接的または間接的に、互いに通信することができる。各ＷＴＲＵ（８１０、８１２、８１４）が、単一の無線アプリケーションまたはデュアルの無線アプリケーションの何れかにて、複数の隣接または非隣接の無線帯域を使用して通信することにより、システム２００の帯域幅を拡張することができる。
【００１４】
各ＷＴＲＵ（２１０、２１２、２１４）が送信する場合には、媒体の予約をする。これをするために、ＥＢＴ（Ｅｘｐａｎｄｅｄ  Ｂａｎｄｗｉｄｔｈ  Ｔｒａｎｓｍｉｓｓｉｏｎ：拡張帯域幅伝送）ＷＴＲＵ（２１０、２１２、２１４）のすべての無線帯域において、ビーコン／コマンド・フレームを介して、ＤＲＰ  ＩＥが送信される。ＷＴＲＵ（２１０、２１２、２１４）は、伝送が行われることになるＭＡＳ（Ｍｅｄｉｕｍ  Ａｃｃｅｓｓ  Ｓｌｏｔ：媒体アクセス・スロット）を宣言する、それぞれの無線帯域におけるＤＲＰ  ＩＥを通常送信する。ＭＡＳが同時点であるなら、拡張帯域幅全体にわたって、１つの単一の伝送で無線が済ませることが可能である。その無線帯域が隣接した無線帯域であるなら、ＷＴＲＵ（２１０、２１２、２１４）は単一の無線で済ませることができる。ＤＲＰ  ＩＥ伝送が逐次的に行われる場合に、これは実行可能である。
【００１５】
レガシー・デバイスを使用するユーザーなどの単一のチャンネル・ユーザーに、それらの特定のチャンネル上の伝送に関して通知するためには、いくつかの明示的なＤＲＰ  ＩＥが種々のチャンネル上で送信される場合がある。すべての隣接するデバイスが同様の能力を有しかつＥＢＴモードを支援するなら、主のまたはデフォルトのチャンネル上の単一のＤＲＰ  ＩＥで十分であり、それによりＥＢＴ上の無条件的予約を為す。
【００１６】
ＤＲＰ  ＩＥは、拡張帯域幅伝送を支援する予約種別フィールドを含むことができる。ＥＢＴに対して表１に示されるように、例えば、拡張−ハード、拡張−ソフト、デュアル・チャンネル−ハード、デュアル・チャンネル−ソフト、マルチ・チャンネル−ハード、マルチ・チャンネル−ソフトなどの８つの予約種別を表すために３ビットのフィールドを使用することができる。
【００１７】
【表１】
2010512113.tif 000003
【００１８】
ＷＴＲＵは、単一の、デュアルの、またはマルチのチャンネル設定において、ハード、ソフト、または非公開（ｐｒｉｖａｔｅ）などの、２つまたはそれより多くの種々のモードの間で構成が交替する場合がある、動的に構成可能なネットワークにおいて動作するように構成することができる。ＷＴＲＵは、チャンネルおよびトラフィック状態を感知することによって、自身の構成を決定することができる。あるいはＷＴＲＵは、プログラムされた設計により自身の構成を決定することができる。
【００１９】
ＷＴＲＵが２つより多い無線帯域において動作すること、およびその動作モードを動的に変化させることを可能にすることにより、比較的多くの予約種別を生成することができる。比較的多くの数の予約種別を支援するために、予約種別フィールドを３ビットより多く使用するように拡張することができ、その結果、合計で８つより多い値にすることができる。
【００２０】
表２は、一実施形態による拡張予約種別フィールドの例を示す。予約種別フィールドは４ビットを使用し、その結果そのフィールドに対して１６の値が可能となる。単一および複数の無線帯域伝送を意味する値を含むことができる。表２に示されるように、値０〜４が単一の無線帯域伝送を表し、値４〜８および１３がデュアル無線帯域伝送を示し、そして値９〜１２および１４が３帯域伝送を表す。値１５は今後の使用のための予備である。
【００２１】
【表２】
2010512113.tif 000004
【００２２】
拡張ＤＲＰ  ＩＥ予約種別フィールドを、非隣接無線帯域を表すために使用することができる。その無線帯域が非隣接であっても、その無線帯域が受信機のＦＦＴ（Ｆａｓｔ  Ｆｏｕｒｉｅｒ  Ｔｒａｎｓｆｏｒｍ：高速フーリエ変換）サイズ内であるなら、かつ伝送のために使用される搬送波のいくつかがその非隣接の無線帯域を占有するなら、単一の無線を使用することができる。しかしながら、ＭＡＳの予約がすべての無線帯域に対して首尾よくいかないなら、ＥＢＴ  ＷＴＲＵは制限されたまたはレガシー・モードにて動作するか、または首尾よく予約された帯域幅に対応するＦＦＴ搬送波のみを使用することが可能である。
【００２３】
その無線帯域が非隣接であり、かつ十分には接近していないなら、ＷＴＲＵは複数の無線を使用することができる。ＭＡＳに関して予約が首尾よくいく場合には、ＥＢＴ  ＷＴＲＵはＥＢＴモードにて動作することができる。ＥＢＴ  ＷＴＲＵは、ＥＢＴのすべての無線帯域についてＷＴＲＵが首尾よくいくまで、ビーコンを再送信することができる。ＥＢＴ  ＷＴＲＵがリソースを放棄するとき、予約終了方法がすべてのＥＢＴ無線帯域に適用される。
【００２４】
単一チャンネル・システムにおいては、ＭＡＳを、単一チャンネルまたは拡張チャンネル上の時間リソースであると見なすことができる。特定されたスーパーフレーム上の同時伝送のためにＭＡＳを予約することが可能である。
【００２５】
複数の無線帯域上のチャンネル予約のためにＤＲＰ  ＩＥを使用することができる。ＤＲＰ  ＩＥのＤＲＰ割り付けフィールド中にチャンネル情報を含むことによって、チャンネル番号情報をＤＲＰ  ＩＥに配置することができる。図３は、一実施形態によるＤＲＰ割り付けフィールド３００を示す。ＤＲＰ割り付けフィールド３００は、ゾーン・ビットマップ３０２に対して単一のオクテット、ＭＡＳビットマップ３０４に対して２オクテット、およびチャンネルＩＤ３０６に対して１オクテットを含む。
【００２６】
ＤＲＰ  ＩＥの一連のＤＲＰ割り付け要素の前に配置されるチャンネルＩＤフィールド中にもまた、チャンネル情報を含むことができる。図４は、一実施形態によるチャンネルＩＤフィールド４００に組み込まれるチャンネル情報を示す。第１のチャンネルＩＤは、第１の一連の割り付け４０２がデフォルト・チャンネルに対応すると仮定すると、省略することが可能である。次の一連の割り付け４０４は、チャンネルＩＤ要素４０６の次にくる。現在の１４のＵＷＢチャンネルすべてを識別するためにわずか４ビットが必要である。あるいは、拡張帯域幅において使用することが可能なすべての採り得るチャンネル組み合わせを識別するために２バイトのビットマップを使用することが可能である。
【００２７】
実施形態
１．マルチ無線帯域伝送の第１の表示子を送信するように構成される送信機を具備する、ＥＢＴ（Ｅｘｐａｎｄｅｄ  Ｂａｎｄｗｉｄｔｈ  Ｔｒａｎｓｍｉｓｓｉｏｎ：拡張帯域幅伝送）の能力のあるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【００２８】
２．マルチ無線帯域伝送の第２の表示子を受信するように構成される受信機をさらに具備する、実施形態１のＷＴＲＵ。
【００２９】
３．マルチ無線帯域伝送の第１および第２の表示子が、それぞれがＩＥ（Ｉｎｆｏｒｍａｔｉｏｎ  Ｅｌｅｍｅｎｔ：情報要素）である、実施形態２のＷＴＲＵ。
【００３０】
４．前記ＩＥが、予約種別フィールドを具備する、実施形態３のＷＴＲＵ。
【００３１】
５．前記予約種別フィールドが、マルチ無線帯域伝送の表示を具備する、実施形態４のＷＴＲＵ。
【００３２】
６．前記マルチ無線帯域伝送の第１および第２の表示子が、チャンネル識別子を具備する、実施形態２〜５の何れか１つのＷＴＲＵ。
【００３３】
７．前記ＩＥが、チャンネル識別子を具備する、実施形態３〜６の何れか１つのＷＴＲＵ。
【００３４】
８．前記チャンネル識別子が、ＤＲＰ割り付けフィールドに関連付けられる、実施形態７のＷＴＲＵ。
【００３５】
９．ＤＲＰ割り付けフィールドが、前記チャンネル識別子を具備する、実施形態７のＷＴＲＵ。
【００３６】
１０．１つより多い無線をさらに具備する、実施形態２〜９の何れか１つのＷＴＲＵ。
【００３７】
１１．前記ＷＴＲＵが、複数の通信無線帯域の位置に基づき、１つの無線または１つより多い無線の何れかにより動作するように構成される、実施形態１０のＷＴＲＵ。
【００３８】
１２．ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が、複数の通信無線帯域上でマルチ無線帯域伝送の第１の表示子を送信するステップを具備する、超広帯域伝送の方法。
【００３９】
１３．前記ＷＴＲＵが、マルチ無線帯域伝送の第２の表示子を受信するステップをさらに具備する、実施形態１２の方法。
【００４０】
１４．前記ＷＴＲＵが、前記第１の表示子を具備する第１のＩＥ（Ｉｎｆｏｒｍａｔｉｏｎ  Ｅｌｅｍｅｎｔ：情報要素）を送信するステップをさらに具備する、実施形態１３の方法。
【００４１】
１５．前記ＷＴＲＵが、前記第２の表示子を具備する第２のＩＥを受信するステップをさらに具備する、実施形態１４の方法。
【００４２】
１６．前記第１および第２のＩＥが、予約種別フィールドを具備する、実施形態１５の方法。
【００４３】
１７．前記予約種別フィールドが、マルチ無線帯域伝送の表示を具備する、実施形態１６の方法。
【００４４】
１８．マルチ無線帯域伝送の前記第１および第２の表示子が、チャンネル識別子を具備する、実施形態１３〜１７の何れか１つの方法。
【００４５】
１９．前記第１および第２のＩＥが、チャンネル識別子を具備する、実施形態１５〜１８の何れか１つの方法。
【００４６】
２０．前記チャンネル識別子が、ＤＲＰ割り付けフィールドに関連付けられる、実施形態１９の方法。
【００４７】
２１．ＤＲＰ割り付けフィールドが、前記チャンネル識別子を具備する、実施形態１９の方法。
【００４８】
２２．ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が、複数の通信無線帯域上で媒体予約を送信するステップを具備することであって、前記媒体予約がマルチ無線帯域動作の表示を具備する、拡張帯域幅伝送の方法。
【００４９】
２３．前記ＷＴＲＵが、複数の通信無線帯域上で通信するステップをさらに具備する、実施形態２２の方法。
【００５０】
２４．前記ＷＴＲＵが、前記媒体予約を送信するために１つより多い無線を使用するステップをさらに具備する、実施形態２３の方法。
【００５１】
２５．前記媒体予約が、マルチ無線帯域伝送を表す予約種別データ・フィールドを具備する、実施形態２４の方法。
【００５２】
２６．前記媒体予約が、複数のチャンネル識別子を具備する、実施形態２４の方法。
【００５３】
２７．前記チャンネル識別子が、複数の分散予約プロトコル割り付けに関連付けられる、実施形態２６の方法。
【００５４】
特徴および要素が特定の組み合わせにて記述されているが、それぞれの特徴または要素は、他の特徴および要素なしで単独にて、または他の特徴および要素のあるなしにかかわらず様々な組み合わせにて使用可能である。提供される方法は、汎用目的のコンピューターまたは処理装置による実行のための、コンピューターにて読み取り可能な記憶装置媒体にて実体的に具現化されるコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００５５】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００５６】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【図１】
2010512113.tif 000005
【図２】
2010512113.tif 000006
【図３】
2010512113.tif 000007
【図４】
2010512113.tif 000008
【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
ＥＢＴ（Ｅｘｐａｎｄｅｄ  Ｂａｎｄｗｉｄｔｈ  Ｔｒａｎｓｍｉｓｓｉｏｎ：拡張帯域幅伝送）の能力のあるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、
マルチ無線帯域伝送の第１の表示子を送信するように構成される送信機と、
マルチ無線帯域伝送の第２の表示子を受信するように構成される受信機と、
複数のチャンネルおよびトラフィック状態に基づき前記ＷＴＲＵを調整するように構成される処理装置と、
を具備することであって、
前記第１の表示子が、４ビットより大きい予約種別フィールドを具備する情報要素を具備することであって、かつ前記情報要素が、
複数の無線帯域上で通信チャンネルを予約するための情報と、
複数のチャンネル割り付けに関連付けられるチャンネルＩＤ（ＩＤｅｎｔｉｆｉｅｒ：識別子）と
を具備することを特徴とするＷＴＲＵ。
【請求項２】
前記ＩＥが、予約種別フィールドを具備することを特徴とする請求項１に記載のＷＴＲＵ。
【請求項３】
前記予約種別フィールドが、マルチ無線帯域伝送の表示を具備することを特徴とする請求項２に記載のＷＴＲＵ。
【請求項４】
前記チャンネル識別子が、ＤＲＰ割り付けフィールドに関連付けられることを特徴とする請求項１に記載のＷＴＲＵ。
【請求項５】
１つより多い無線をさらに具備することを特徴とする請求項１に記載のＷＴＲＵ。
【請求項６】
前記ＷＴＲＵが、複数の通信無線帯域の位置に基づき、１つの無線または１つより多い無線の何れかにより動作するように構成されることを特徴とする請求項５に記載のＷＴＲＵ。
【国際調査報告】
2010512113.tif 000009
2010512113.tif 000010
2010512113.tif 000011